(57)【要約】      （修正有）【課題】１つのスライドレバーの操作で対状のロック部分を係止・解除可能にするスーツケース用錠前装置を提供する。【解決手段】シェルの開口部枠Ｗ１，Ｗ２同士を合致してロックするよう一方の開口部枠Ｗ１に設けた２つの係止爪Ｒ１，Ｒ２を、他方の開口部枠Ｗ２に設けた係止孔３ａ，３ｂに挿入して係止爪Ｒ１，Ｒ２を係止する。係止孔３ａ，３ｂ相互間にてスライドリンク機構により互いに反対方向へ進退移動することで、係止孔３ａ，３ｂに挿入した係止爪Ｒ１，Ｒ２を係止あるいは係止解除するスライドフック２２，２３を備えたスライドロック機構１１と、スライドリンク機構をスライド操作するよう係止孔３ａ，３ｂ相互間にてシェル壁Ｖ１の外部にスライド自在に配置したスライドレバー４６を備えたスライドレバー機構４１と、キー孔５４への所定のキーＫの挿入操作によってスライドレバー機構４１を停止またはスライド可能にするレバーロック機構５１とを備える。【選択図】図４
0003183127.tif 000002
【実用新案登録請求の範囲】
【請求項１】
スーツケースを構成する後シェルおよび前シェルの開口部同士を合致させた状態でロックするよう一方の開口部の他側開放端に設けた２つの係止爪を、他方の開口部の他側開放端に設けた２つの係止孔にそれぞれ挿入してこの係止孔内側にて係止爪を係止させるスーツケース用錠前装置であって、係止孔相互間にてスライドリンク機構によって互いに反対方向へ進退移動させることで、係止孔に挿入された係止爪を係止あるいは係止解除させるものとしたスライドフックを備えたスライドロック機構と、スライドリンク機構をスライド操作するよう係止孔相互間にてシェル壁の外部にスライド自在に配置されたスライドレバーを有するスライドレバー機構と、シェル壁の外部に配したキー孔への所定のキーの挿入操作によってスライドレバー機構を停止あるいはスライドさせるようシェル壁の内部に配したレバーロック機構とを備えたことを特徴とするスーツケース用錠前装置。
【請求項２】
スライドリンク機構は、係止孔相互間でシェル壁の内側面にスライド自在に当接されたロックスライダと、このロックスライダにスライド且つ揺動自在にして対称的に枢支されてスライドフックそれぞれに連結される２つのリンクアームとから成り、２つのリンクアームそれぞれは各先端側の第１リンクと各後端側の第２リンクとが第１軸部によって連繋され、各後端側の第２リンク同士は第２軸部によって、不動の支持部に揺動自在に連繋され、各第１軸部は、ロックスライダ側面に互いに同一斜向状となって並列された一対のスライド長孔に各係合し、ロックスライダのスライド移動に伴い各第１軸部をスライド長孔に沿って斜行移動させることで、対称的に配置したスライドフックそれぞれを係止孔の内側にて互いに反対向へ移動させるようにして成る請求項１記載のスーツケース用錠前装置。
【請求項３】
ロックスライダには、このロックスライダの係止位置および係止解除位置で自体を停止させるストッパ機構を備えて成る請求項２記載のスーツケース用錠前装置。
【請求項４】
スライドレバー機構は、シェル壁の外部面に配したスライドベースにスライドレバーがスライド自在に枢着されていて、このスライドレバーはシェル壁を貫挿してロックスライダに固着されて成る請求項１乃至３のいずれか記載のスーツケース用錠前装置。
【請求項５】
レバーロック機構は、シェル壁の外部面に配したスライドベースに設けたキーロック部のキー孔に挿入される所定のキーの切替操作によって起伏方向に揺動するストッパ片と、ストッパ片が施錠時では係合し、解錠時では離脱するようロックスライダに備えた係止片とを有して成る請求項１乃至４のいずれか記載のスーツケース用錠前装置。
【請求項６】
スーツケースを構成する後シェルおよび前シェルの開口部同士を合致させた状態でロックするよう一方の開口部の他側開放端に設けた２つの係止爪を、他方の開口部の他側開放端に設けた２つの係止孔にそれぞれ挿入してこの係止孔内側にて係止爪を係止させるスーツケース用錠前装置であって、係止孔相互間にてスライドリンク機構によって互いに反対方向へ進退移動させることで、係止孔に挿入された係止爪を係止あるいは係止解除させるものとしたスライドフックを備えたスライドロック機構と、スライドリンク機構をスライド操作するよう係止孔相互間にてシェル壁の外部にスライド自在に配置されたスライドレバーを有するスライドレバー機構と、シェル壁の外部に配したキー孔への所定のキーの挿入操作によってスライドレバー機構を停止あるいはスライドさせるようシェル壁の内部に配したレバーロック機構とを備え、スライドリンク機構は、係止孔相互間でシェル壁の内側面にスライド自在に当接されたロックスライダと、このロックスライダにスライド且つ揺動自在にして対称的に枢支されてスライドフックそれぞれに連結される２つのリンクアームとから成り、２つのリンクアームそれぞれは各先端側の第１リンクと各後端側の第２リンクとが第１軸部によって連繋され、各後端側の第２リンク同士は第２軸部によって、不動の支持部に揺動自在に連繋され、各第１軸部は、ロックスライダ側面に互いに同一斜向状となって並列された一対のスライド長孔に各係合し、ロックスライダのスライド移動に伴い各第１軸部をスライド長孔に沿って斜行移動させることで、対称的に配置したスライドフックそれぞれを係止孔の内側にて互いに反対向へ移動させるようにして成り、ロックスライダには、このロックスライダの係止位置および係止解除位置で自体を停止させるストッパ機構を備え、スライドレバー機構は、シェル壁の外部面に配したスライドベースにスライドレバーがスライド自在に枢着されていて、このスライドレバーはシェル壁を貫挿してロックスライダに固着されて成り、レバーロック機構は、シェル壁の外部面に配したスライドベースに設けたキーロック部のキー孔に挿入される所定のキーの切替操作によって起伏方向に揺動するストッパ片と、ストッパ片が施錠時では係合し、解錠時では離脱するようロックスライダに備えた係止片とを有して成ることを特徴とするスーツケース用錠前装置。
【考案の詳細な説明】
【技術分野】
【０００１】
本考案は、対状のシェルから成るスーツケースにおいて、対向させた開口部相互間を対状の係止爪に対する係止あるいは解除によって閉止・開放可能にする対状のロック部分を係止・解除方向にスライドする１つのスライドレバーによってロックあるいはアンロックを同時に操作できるようにしたスーツケース用錠前装置に関する。
【背景技術】
【０００２】
従来、スーツケースは、例えばそれぞれの開口部より内部に収容室を設けた後シェルと前シェルとから構成され、両シェルの各開口部の一側端同士をヒンジで連結して開閉可能とすると共に、各開口部の他側端には、両シェルの開口部同士を合致させた状態でロックするための施錠機構を設けている。また、両シェルの各底部にはキャスタを備え、例えば後シェルの上部には伸縮自在な曳き手を備えることで地面、床面上で簡単に引き回し移動できるようにしている。
【０００３】
また、施錠機構として、従来は、例えば公知のダイヤルロックを装着してスーツケースのセキュリティーを図るものとし、またスーツケースの施錠機構の両側部分に、シリンダ錠をそれぞれ設け、１つのダイヤルロックと２つのシリンダ錠、または１つのダイヤルロックと２つのマグネットロックとを組み合わせて、スーツケースの開閉部分に３個の錠を装着することによりセキュリティーを高めているものもある。
【０００４】
例えば、特許文献１に開示されているように、スーツケースの開閉側中央にある把手部の両側に、互いに操作キーが異なるシリンダ錠やマグネットロック等の錠を対状に配置して設けて成るスーツケースの施錠装置が提案されている。
【先行技術文献】
【特許文献】
【０００５】
【特許文献１】実用新案登録第３１３５９８３号公報
【考案の概要】
【考案が解決しようとする課題】
【０００６】
しかしながら、従来の施錠装置である例えば特許文献１においては、中央の把手部の両側の錠それぞれを互いに異なる操作キーによって別々に操作しなければならず、施錠・解錠が非常に面倒である。しかも、一方の操作キーを紛失してしまうと、もはやスーツケースの解錠が不可能となる。
【０００７】
そこで、本考案は叙上のような従来存した諸事情に鑑み創案されたもので、一対のシェルから成るスーツケースにおける対向する前後シェル相互の開口部を、対状に配置したロック部分となる係止爪に対する係止あるいはその解除によって閉止あるいは開放可能とするとき、対状の係止爪に対する係止・解除を１つのスライドレバーのスライド操作によって容易にしかも同時に行え、しかも１ヶ所で施錠・解錠も操作できるものとしたスーツケース用錠前装置を提供することを目的とする。
【課題を解決するための手段】
【０００８】
上述した課題を解決するために、本考案にあっては、スーツケースＰを構成する後シェルＰ１および前シェルＰ２の開口部同士を合致させた状態でロックするよう一方の開口部の他側開放端に設けた２つの係止爪Ｒ１，Ｒ２を、他方の開口部の他側開放端に設けた２つの係止孔３ａ，３ｂにそれぞれ挿入してこの係止孔３ａ，３ｂ内側にて係止爪Ｒ１，Ｒ２を係止させるスーツケース用錠前装置であって、係止孔３ａ，３ｂ相互間にてスライドリンク機構１２によって互いに反対方向へ進退移動させることで、係止孔３ａ，３ｂに挿入された係止爪Ｒ１，Ｒ２を係止あるいは係止解除させるものとしたスライドフック２２，２３を備えたスライドロック機構１１と、スライドリンク機構１２をスライド操作するよう係止孔３ａ，３ｂ相互間にてシェル壁Ｖ１（Ｖ２）の外部にスライド自在に配置されたスライドレバー４６を有するスライドレバー機構４１と、シェル壁Ｖ１（Ｖ２）の外部に配したキー孔５４への所定のキーＫの挿入操作によってスライドレバー機構４１を停止あるいはスライドさせるようシェル壁Ｖ１（Ｖ２）の内部に配したレバーロック機構５１とを備えたことを特徴とする。
スライドリンク機構１２は、係止孔３ａ，３ｂ相互間でシェル壁Ｖ１（Ｖ２）の内側面にスライド自在に当接されたロックスライダ１３と、このロックスライダ１３にスライド且つ揺動自在にして対称的に枢支されてスライドフック２２，２３それぞれに連結される２つのリンクアーム１６ａ，１６ｂとから成り、２つのリンクアーム１６ａ，１６ｂそれぞれは各先端側の第１リンク１７ａ、１７ｂと各後端側の第２リンク１８ａ、１８ｂとが第１軸部１９ａ，１９ｂによって連繋され、各後端側の第２リンク１８ａ、１８ｂ同士は第２軸部２０によって、不動の支持部２１に揺動自在に連繋され、各第１軸部１９ａ，１９ｂは、ロックスライダ１３側面に互いに同一斜向状となって並列された一対のスライド長孔１４ａ，１４ｂに各係合し、ロックスライダ１３のスライド移動に伴い各第１軸部１９ａ，１９ｂをスライド長孔１４ａ，１４ｂに沿って斜行移動させることで、対称的に配置したスライドフック２２，２３それぞれを係止孔３ａ，３ｂの内側にて互いに反対向へ移動させて成るものとすることができる。
ロックスライダ１３には、このロックスライダ１３の係止位置および係止解除位置で自体を停止させるストッパ機構６１を備えて成るものとすることができる。
スライドレバー機構４１は、シェル壁Ｖ１（Ｖ２）の外部面に配したスライドベース４２にスライドレバー４６がスライド自在に枢着されていて、このスライドレバー４６はシェル壁Ｖ１（Ｖ２）を貫挿してロックスライダ１３に固着されて成るものとすることができる。
レバーロック機構５１は、シェル壁Ｖ１（Ｖ２）の外部面に配したスライドベース４２に設けたキーロック部５５のキー孔５４に挿入される所定のキーＫの切替操作によって起伏方向に揺動するストッパ片５６と、ストッパ片５６が施錠時では係合し、解錠時では離脱するようロックスライダ１３に備えた係止片１９ｂとを有して成るものとすることができる。
【０００９】
以上のように構成された本考案に係るスーツケース用錠前装置におけるスライドロック機構１１は、スライドレバー機構４１のスライドレバー４６をスライド操作することで、係止孔３ａ，３ｂ相互間におけるクランクリンク機構５のロックスライダ１３を作動させ、各リンクアーム１６ａ，１６ｂによってスライドフック２２，２３を互いに反対方向へ移動させる。
すなわち、クランクリンク機構５は、スライドレバー４６をスライド操作することにより、ロックスライダ１３がこれと一体となってスライドされ、ロックスライダ１３の各スライド長孔１４ａ，１４ｂに係合した各第１軸部１９ａ，１９ｂを当該スライド長孔１４ａ，１４ｂに沿って斜行移動させる。このとき、スライドレバー４６が係止解除位置から係止位置へスライド操作された際には、第１軸部１９ａ，１９ｂがスライド長孔１４ａ，１４ｂの斜上位置から斜下位置に押し下げられ、不動の支持部２１を介して対称配置された第１リンク１７ａ、１７ｂおよび第２リンク１８ａ、１８ｂが互いに突っ張り合って直線状となるため、対称的に配置したスライドフック２２，２３それぞれを係止孔３ａ，３ｂの内側にて互いに外方向へ押しやるように移動させる。こうすることで、ロック部分であるスライドフック２２，２３と係止爪Ｒ１，Ｒ２とが互いに係止され、スーツケースＰの開口部を閉止固定する。
一方、スライドレバー４６が係止位置から係止解除位置へスライド操作された際には、第１軸部１９ａ，１９ｂがスライド長孔１４ａ，１４ｂの斜下位置から斜上位置に押し上げられ、不動の支持部２１を介して対称配置された第１リンク１７ａ、１７ｂおよび第２リンク１８ａ、１８ｂが互いに引き合って略くの字状となって屈曲するため、対称的に配置したスライドフック２２，２３それぞれを係止孔３ａ，３ｂの内側にて互いに内方向へ引き合うように移動させる。
これによって、対称的に配置したスライドフック２２，２３それぞれを係止孔３ａ，３ｂの内側にて互いに反対方向へ進退移動させ、係止孔３ａ，３ｂに挿入された係止爪Ｒ１，Ｒ２を係止・解除させる。
ストッパ機構６１は、係止位置または係止解除位置にあるスライドレバー４６が不用意に移動してしまうのを防止させる。
レバーロック機構５１は、キー孔５４に挿入したキーＫの操作による施錠時ではストッパ片５６がロックスライダ１３の係止片１９ｂに係合しロックスライダ１３を不動にさせて、スライドレバー４６の強制スライドを阻止させ、解錠しなければスライドレバー４６のスライドを許容させない。
【考案の効果】
【００１０】
本考案によれば、互いの開口部が対向される一対のシェルＰ１，Ｐ２から成るスーツケースＰにおいて、その各シェルＰ１，Ｐ２の開口部相互を合致させて閉塞するとき、一方のシェルＰ１（Ｐ２）に設けた対状の係止爪Ｒ１，Ｒ２を他方のシェルＰ２（Ｐ１）に設けた係止孔３ａ，３ｂ内で係止してシェルＰ１，Ｐ２の開口部を閉塞して施錠可能にし、また、解錠時で操作されるスライドレバー４６によるスライド操作によって、係止解除される対状のスライドフック２２，２３を備えているロック部分を、１つのスライドレバー４６のスライド操作によって同時に操作でき、従来のようにロック部分それぞれを別個に操作する必要がなく、便利である。
【００１１】
すなわち、これは本考案が、係止孔３ａ，３ｂ相互間にてスライドリンク機構１２によって互いに反対方向へ進退移動させることで、係止孔３ａ，３ｂに挿入された係止爪Ｒ１，Ｒ２を係止あるいは係止解除させるものとしたスライドフック２２，２３を備えたスライドロック機構１１と、スライドリンク機構１２をスライド操作するよう係止孔３ａ，３ｂ相互間にてシェル壁Ｖ１（Ｖ２）の外部にスライド自在に配置されたスライドレバー４６を有するスライドレバー機構４１と、シェル壁Ｖ１（Ｖ２）の外部に配したキー孔５４への所定のキーＫの挿入操作によってスライドレバー機構４１を停止あるいはスライドさせるようシェル壁Ｖ１（Ｖ２）の内部に配したレバーロック機構５１とを備えたからである。これにより、スライドレバー機構４１におけるスライドレバー４６のスライドするワンタッチ操作により、係止孔３ａ，３ｂに挿入された係止爪Ｒ１，Ｒ２の係止または係止解除が可能となってロック操作性が向上し、従来のように互いに異なる操作キーによって別々に操作させるという面倒がない。
【００１２】
スライドリンク機構１２は、係止孔３ａ，３ｂ相互間でシェル壁Ｖ１（Ｖ２）の内側面にスライド自在に当接されたロックスライダ１３と、このロックスライダ１３にスライド且つ揺動自在にして対称的に枢支されてスライドフック２２，２３それぞれに連結される２つのリンクアーム１６ａ，１６ｂとから成り、２つのリンクアーム１６ａ，１６ｂそれぞれは各先端側の第１リンク１７ａ、１７ｂと各後端側の第２リンク１８ａ、１８ｂとが第１軸部１９ａ，１９ｂによって連繋され、各後端側の第２リンク１８ａ、１８ｂ同士は第２軸部２０によって、不動の支持部２１に揺動自在に連繋され、各第１軸部１９ａ，１９ｂは、ロックスライダ１３側面に互いに同一斜向状となって並列された一対のスライド長孔１４ａ，１４ｂに各係合し、ロックスライダ１３のスライド移動に伴い各第１軸部１９ａ，１９ｂをスライド長孔１４ａ，１４ｂに沿って斜行移動させることで、対称的に配置したスライドフック２２，２３それぞれを係止孔３ａ，３ｂの内側にて互いに反対向へ移動させて成るので、スーツケースＰの開放時においてスライドレバー４６を係止位置から係止解除位置へスライド操作することで、スライドフック６、７を互いに内側方向へ確実に退避移動させることができる。これにより、係止孔３ａ，３ｂに挿入された係止爪Ｒ１，Ｒ２からスライドフック２２，２３を確実に外すことができる。
【００１３】
また、スライドレバー４６を係止位置から係止解除位置へスライド操作した際には、第１軸部１９ａ，１９ｂがスライド長孔１４ａ，１４ｂの斜下位置から斜上位置に押し上げられ、不動の支持部２１を介して対称配置された第１リンク１７ａ、１７ｂおよび第２リンク１８ａ、１８ｂが互いに引き合って略くの字状となって屈曲するため、対称的に配置したスライドフック２２，２３それぞれを係止孔３ａ，３ｂの内側にて互いに内方向へ退くように移動させることとなり、これによって、対称的に配置したスライドフック２２，２３それぞれを係止孔３ａ，３ｂの内側にて互いに内方向へ移動させ、係止孔３ａ，３ｂに挿入された係止爪Ｒ１，Ｒ２を確実に外すことができる。
【００１４】
一方、スライドレバー４６を係止解除位置から係止位置へスライド操作した際には、第１軸部１９ａ，１９ｂがスライド長孔１４ａ，１４ｂの斜上位置から斜下位置に押し下げられ、不動の支持部２１を介して対称配置された第１リンク１７ａ、１７ｂおよび第２リンク１８ａ、１８ｂが互いに突っ張り合って直線状となるため、対称的に配置したスライドフック２２，２３それぞれを係止孔３ａ，３ｂの内側にて互いに外方向へ押しやるように移動させることとなり、これによって、対称的に配置したスライドフック２２，２３それぞれを係止孔３ａ，３ｂの内側にて互いに外方向へ移動させ、係止孔３ａ，３ｂに挿入された係止爪Ｒ１，Ｒ２を確実に係止することができる。
【００１５】
ロックスライダ１３には、このロックスライダ１３の係止位置および係止解除位置で自体を停止させるストッパ機構６１を備えて成るので、施錠あるいは解錠時でのスライドレバー４６が係止方向または係止解除方向に不用意に移動してしまうのを防止することができる。
【００１６】
スライドレバー機構４１は、シェル壁Ｖ１（Ｖ２）の外部面に配したスライドベース４２にスライドレバー４６がスライド自在に枢着されていて、このスライドレバー４６はシェル壁Ｖ１（Ｖ２）を貫挿してロックスライダ１３に固着されて成るので、スライドレバー４６のスライド操作によりロックスライダ１３を確実に移動させることができる。
【００１７】
レバーロック機構５１は、シェル壁Ｖ１（Ｖ２）の外部面に配したスライドベース４２に設けたキーロック部５５のキー孔５４に挿入される所定のキーＫの切替操作によって起伏方向に揺動するストッパ片５６と、ストッパ片５６が施錠時では係合し、解錠時では離脱するようロックスライダ１３に備えた係止片１９ｂとを有して成るので、キーＫの操作によりロックスライダ１３をロック状態に維持する施錠されたものとし、スライドレバー４６の強制スライドを確実に阻止することができ、錠前装置の高いセキュリティーを維持することができる。
【００１８】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【図面の簡単な説明】
【００１９】
【図１】本考案の実施の形態における錠前装置における解錠・係止解除時のスーツケース開放状態の斜視図である。
【図２】錠前装置の構造の一例を示す分解斜視図である。
【図３】錠前装置のスライドロック機構の動作を説明するもので、（ａ）は係止状態の縦断面図、（ｂ）は係止解除状態の縦断面図である。
【図４】同じく錠前装置のスライドロック機構の動作を説明するもので、（ａ）は係止状態の横断面図、（ｂ）は係止解除状態の横断面図である。
【図５】同じくスライドリンク機構の動作を説明するもので、（ａ）は係止解除時の拡大側面図、（ｂ）は係止あるいは係止解除の途中の状態を示す拡大側面図、（ｃ）は係止時の拡大側面図である。
【図６】レバーロック機構を施錠状態にするためのロックスライダを固定保持するキーロック部の一例を示す斜視図である。
【考案を実施するための形態】
【００２０】
以下、図面を参照して本考案の実施の形態を詳細に説明すると、図において示される符号１は、本考案に係るスーツケース用錠前装置を構成する装置本体であり、後述するスライドロック機構１１と、スライドレバー機構４１とがブラケット２内に収容され、レバーロック機構５１がスーツケースＰ外側面に装着されて成る。図１に示すように、スーツケースＰは、それぞれの開口部より内部に収容室を設けたボックス状の後シェルＰ１および前シェルＰ２の各開口部枠Ｗ１，Ｗ２の一側支持端同士をヒンジＨで連結して開閉可能としている。装置本体１は、このスーツケースＰにおいてシェルＰ１，Ｐ２の開口部枠Ｗ１，Ｗ２同士を合致させ、前シェルＰ２の開口部枠Ｗ２に設けた略Ｌ字形の上下２つの係止爪Ｒ１，Ｒ２を、後シェルＰ１の開口部枠Ｗ１に設けた矩形孔状の上下２つの係止孔３ａ，３ｂにそれぞれ挿入してこの係止孔３ａ，３ｂ内側にて係止爪Ｒ１，Ｒ２を係止させることでロックするロック部分となっている。
【００２１】
スーツケースＰは、例えば旅行用収納具として使用される保形性を有する強化合成樹脂製、金属製等でボックス状のシェル構造に形成され、手で引く曳き手Ｓが例えば後シェルＰ１の背面上側に伸縮自在に備えており、またスーツケースＰ自体を持つために手で握る部分である把持部Ｓ１，Ｓ２を後シェルＰ１の上面と前シェルＰ２の一方の側面との２箇所に備えている。また、スーツケースＰの底面には、移動用のキャスタＴが四隅に、すなわち後シェルＰ１、前シェルＰ２それぞれのシェル壁Ｖ１，Ｖ２に２個ずつ取り付けられており、スーツケースＰの上面に装備された曳き手Ｓを使用する場合において、スーツケースＰがキャスタＴを介して床面・地面等に置かれた正立姿勢で移動できるようにしてある。なお、後シェルＰ１の上下２つの係止孔３ａ，３ｂの間におけるシェル壁Ｖ１の外面には、装置本体１の構成要素である後述するスライドレバー４６が配置されており、図１では、スライドレバー４６が解錠方向に揺動操作されたことで、両シェルＰ１，Ｐ２の開口部同士のロックが解除されて開放された状態を示している。
【００２２】
ブラケット２は、図２乃至図４に示すように、後シェルＰ１の上下２つの係止孔３ａ，３ｂの間隔に対応した長さを有してシェル壁Ｖ１の内部に配される長方形トレー状となって形成されていて、ブラケット２の長手方向両端側に形成されたネジ孔２ａ，２ｂにねじ込まれる不図示のネジによって、後シェルＰ１の開口部枠Ｗ１近傍のシェル壁Ｖ１の内面に固定されるものとしてある。
【００２３】
スライドロック機構１１は、ブラケット２の内底部上下それぞれに配されているスライドフック２２，２３を、両係止孔３ａ，３ｂの内側にてスライドリンク機構１２によって互いに反対方向へ進退移動させることで、係止孔３ａ，３ｂに挿入された係止爪Ｒ１，Ｒ２を係止あるいは係止解除させるものとしている。すなわち、スライドフック２２，２３は、係止爪Ｒ１，Ｒ２を係止するため、先端から側面にかけて切欠されたフック部２４，２５を有し、ロックスライダ１３側に向いた後端にフックベース部２６，２７を備え、フックベース部２６，２７の各後端部はブラケット２の内底部略中央に配したスライドリンク機構１２に連繋されている。そしてと、後述するスライドレバー機構４１のスライドレバー４６をスライド操作することでスライドリンク機構１２を作動させ、フックベース部２６，２７を介してスライドフック２２，２３を互いに反対方向へ進退移動させることで、係止孔３ａ，３ｂに挿入された係止爪Ｒ１，Ｒ２を係止あるいは係止解除させるものとしている。
【００２４】
なお、フックベース部２６，２７およびスライドフック２２，２３には、長円形状のスライド規制孔２８，２９，３０，３１が形成されており、ブラケット２の内底部上下対称位置に立設したガイド突起５，６，７がスライド規制孔２８，２９，３０にそれぞれ挿入され、ガイド突起６自体は後述するスライドベース４２のガイド突起４５に連結され、スライドベース４２のガイド突起４４がスライド規制孔３２に挿通されている。また、スライドフック２２，２３は、フックベース部２６，２７の各先端上面に突設した係止片３２，３３に係止固定されている。
【００２５】
スライドリンク機構１２は、フックベース部２６，２７の各後端部に連繋するようブラケット２の内底部略中央に配した２つのリンクアーム１６ａ，１６ｂと、シェル壁Ｖ１の内側面に当接してスライドするロックスライダ１３とから構成されている。２つのリンクアーム１６ａ，１６ｂそれぞれは、各先端側の第１リンク１７ａ、１７ｂと各後端側の第２リンク１８ａ、１８ｂとが第１軸部１９ａ，１９ｂによって揺動自在に連繋され、第１リンク１７ａ、１７ｂの各端部はフックベース部２６，２７の各後端部に揺動自在に連繋されると共に、各後端側の第２リンク１２ａ、１２ｂ同士は共通の第２軸部２０によって、ブラケット２内底部に固定された支持部２１に揺動自在に連繋されて成る。また、各第１軸部１９ａ，１９ｂは、ブラケット２の内部中央にスライド自在に支持され、シェル壁Ｖ１の内側面に当接してスライドするロックスライダ１３の側面に互いに斜向状となって並列された一対のスライド長孔１４ａ，１４ｂに各係合してある。
【００２６】
スライドリンク機構１２は、図５（ａ）に示すように、スライドレバー４６が係止解除位置にある場合には、第１軸部１９ａ，１９ｂはスライド長孔１４ａ，１４ｂの斜上位置にあり、不動の支持部２１を介して対称配置された第１リンク１７ａ、１７ｂおよび第２リンク１８ａ、１８ｂが互いに引き合って略くの字状となって屈曲しているため、対称的に配置したスライドフック２２，２３それぞれは係止孔３ａ，３ｂの内側にて互いに内方向へ引き合うように移動し、スライドフック２２，２３のフック部２４，２５と係止爪Ｒ１，Ｒ２とは係止解除の状態となっている。
【００２７】
図５（ｂ）に示すように、スライドレバー４６が係止解除位置から係止位置へ向けてスライド移動距離Δ１だけスライド操作された際には、第１軸部１９ａ，１９ｂがスライド長孔１４ａ，１４ｂの斜上位置から斜下位置に押し下げられて行き、不動の支持部２１を介して対称配置された第１リンク１７ａ、１７ｂおよび第２リンク１８ａ、１８ｂが互いに突っ張り合うように拡開して行く。
【００２８】
図５（ｃ）に示すように、スライドレバー４６がスライド移動距離Δ２だけスライド操作されて係止位置まで達した際には、第１軸部１９ａ，１９ｂがスライド長孔１４ａ，１４ｂの斜下位置にあり、不動の支持部２１を介して対称配置された第１リンク１７ａ、１７ｂおよび第２リンク１８ａ、１８ｂが互いに突っ張り合うように直線状となり、対称的に配置したスライドフック２２，２３それぞれは係止孔３ａ，３ｂの内側にて互いに外方向へ押しやるように移動し、スライドフック２２，２３のフック部２４，２５と係止爪Ｒ１，Ｒ２とは係止の状態となる。なお、スライドレバー４６が係止位置から係止解除位置へ向けてスライド操作される際には、上記した動作と逆の順に進行する。
【００２９】
スライドレバー機構４１は、ロックスライダ１３の前面がシェル壁Ｖ１の内側面にスライド自在に当接しており、下部にレバーロック機構５１のキーロック部５５を備えたスライドベース４２が、内側にロックスライダ１３が配されたシェル壁Ｖ１を介在させるように、シェル壁Ｖ１の外側で配される。このスライドベース４２は、その後面上中下側にガイド突起１７ａ，１７ｂ，１７ｃが形成されており、これらガイド突起１７ａ，１７ｂ，１７ｃをシェル壁Ｖ１を貫挿させてフックベース部２６，２７に穿設された長円形状のスライド規制孔６ｃ，７ｂ，７ｃにそれぞれ挿入し、ガイド突起１７ａはブラケット２の内底部にネジ止め等で固定され、ガイド突起１７ｃはブラケット２のガイド突起９ｃに連結されている。
【００３０】
これにより、ロックスライダ１３が一定範囲内で前後方向にスライドできるようにしてシェル壁Ｖ１の内側に配され、またブラケット２に固定されたスライドベース４２がシェル壁Ｖ１の外側に配される。また、スライドベース４２には、シェル壁Ｖ１を貫通するようにスライド開口部４８が形成され、スライド開口部４８にスライドレバー４６がスライド自在に枢着される。スライドレバー４６は軸筒部４７を有しており、この軸筒部４７はスライドベース４２、シェル壁Ｖ１を貫挿することで、ブラケット２におけるロックスライダ１３の嵌合突起１５に嵌合し、ロックスライダ１３をスライド操作するものとしてある。
【００３１】
図４に示すように、ロックスライダ１３の側面にはスライド方向に沿うように折り曲げられたフックアーム部６２が突設され、ロックスライダ１３のロック位置およびアンロック位置に対応するブラケット２内側面にそれぞれ係止爪部６３ａ，６３ｂが形成され、フックアーム部６２が係止爪部６３ａ，６３ｂに係止されることで、ロックスライダ１３をロック位置あるいはアンロック位置に作動させるストッパ機構６１を備えている。
【００３２】
また、スライドレバー４６のスライド操作を可能にさせる解錠状態、逆に不能にさせる施錠状態を切り替えるよう、キー操作されるレバーロック機構５１が、スライドベース４２に形成された開口部５２にキーロック部５５のキーシリンダ部５３が嵌合することで設けられている。このレバーロック機構５１は、図６に示すように、スライドベース４２の下端側に、シェル壁Ｖ１の内部に配されている前記ロックスライダ１３に係合して、これのスライドを阻止させる、あるいは離脱してこれをスライドさせるよう、後面のキーロック部５５のストッパ片５６を起伏方向に作動させて切り替えるためのキーＫが挿入されるキー孔５４を備えている。
【００３３】
このキー孔５４にキーＫを挿入して施錠方向に揺動させると、ロックスライダ１３の一端側部からアーム５７を介して形成されているＬ字状の係止片１９ｂにキーロック部５５のストッパ片５６が係合され、ロックスライダ１３に固着されているスライドレバー４６が不動となる。これによってスライドレバー４６によるロック部分における係止状態が維持され、そのスライド操作は不能となるので、係止孔３ａ，３ｂ内側にてスライドフック２２，２３による係止爪Ｒ１，Ｒ２に対する係止が共にロックされた状態となる。また、キーＫを解錠方向に揺動させると、係止片１９ｂからキーロック部５５のストッパ片５６が離脱され、これによってロックスライダ１３が可動となり、スライドレバー４６を揺動可能となし、係止孔３ａ，３ｂ内側にてスライドフック２２，２３による係止爪Ｒ１，Ｒ２に対する係止あるいは係止解除操作を可能となし、係止解除時ではスーツケースＰ自体を開放可能な状態にする。
【００３４】
なお、キーロック部５５は、アメリカ運輸保安局ＴＳ（Ｔｒａｎｓｐｏｒｔａｔｉｏｎ  Ｓｅｃｕｒｉｔｙ  Ａｄｍｉｎｉｓｔｒａｔｉｏｎ）によって認可・容認されたロック機構であるＴＳＡロック構成とすることで、セキュリティチェック及び税関チェックが最も厳しいアメリカであっても、カギを掛けたまま航空会社に預けることができる。また、キーＫが挿入されることで操作されるキー孔５４は、このＴＳＡロック構成によるキー機構とする場合に限らず、アメリカ運輸保安局ＴＳに準拠しない構成、例えばダイヤル式ロック構成とすることも可能である。
【００３５】
次に、以上のように構成された形態についての使用の一例について説明すると、先ずレバーロック機構５１におけるキーロック部５５のキー孔５４にキーＫを挿入して、ロックスライダ１３の係止片１９ｂに係止されているストッパ片５６を係止片１９ｂから解除する位置に揺動させておく。そして、スーツケースＰを閉めると前シェルＰ２の開口部枠Ｗ２の上下２つの係止爪Ｒ１，Ｒ２が、後シェルＰ１の開口部枠Ｗ１の上下２つの係止孔３ａ，３ｂにそれぞれ挿入される。
【００３６】
そして、スライドレバー４６を係止解除位置から係止方向（図４（ａ）中矢印Ａ方向）にスライドすると、図３（ａ）に示すように、スライドレバー機構４１は、スライドリンク機構１２における第１軸部１９ａ，１９ｂがスライド長孔１４ａ，１４ｂの斜上位置から斜下位置に押し下げられ、固定された支持部２１を介して対称配置された第１リンク１７ａ、１７ｂおよび第２リンク１８ａ、１８ｂが互いに突っ張り合って直線状となるため、対称的に配置したスライドフック２２，２３それぞれを係止孔３ａ，３ｂの内側にて互いに外方向へ押しやるように移動させる。これによって、図４（ａ）に示すように、スライドロック機構１１は、対称的に配置した両スライドフック２２，２３を互いに外方向にスライドさせ係止爪Ｒ１，Ｒ２それぞれを係止し、ロック状態とすることで係止が完了する。
【００３７】
係止解除の際には、スライドレバー４６を係止位置から係止解除方向（図４（ｂ）中Ｂ方向）へスライドすると、図３（ｂ）に示すように、スライドレバー機構４１は、スライドリンク機構１２における第１軸部１９ａ，１９ｂがスライド長孔１４ａ，１４ｂの斜下位置から斜上位置に押し上げられ、固定された支持部２１を介して対称配置された第１リンク１７ａ、１７ｂおよび第２リンク１８ａ、１８ｂが互いに引き合って略くの字状となって屈曲するため、対称的に配置したスライドフック２２，２３それぞれを係止孔３ａ，３ｂの内側において互いに内方向へ退くように移動させる。これによって、図４（ｂ）に示すように、スライドロック機構１１は、対称的に配置した両スライドフック２２，２３を互いに内方向にスライドさせて両係止爪Ｒ１，Ｒ２それぞれから係止解除させ、非ロック状態とすることで、ロック部分の解除が行える。こうして両シェルＰ１，Ｐ２の開口部同士が開放可能とされる。
【符号の説明】
【００３８】
Ｐ…スーツケース                        Ｐ１…後シェル
Ｐ２…前シェル                          Ｈ…ヒンジ
Ｒ１，Ｒ２…係止爪                      Ｖ１，Ｖ２…シェル壁
Ｗ１，Ｗ２…開口部枠                    Ｓ…曳き手
Ｓ１，Ｓ２…把持部                      Ｔ…キャスタ
Ｋ…キー
Δ１、Δ２…スライド移動距離
１…装置本体                            ２…ブラケット
２ａ，２ｂ…ネジ孔                      ３ａ，３ｂ…係止孔
５，６，７…ガイド突起
１１…スライドロック機構                １２…スライドリンク機構
１３…ロックスライダ                    １４ａ１４ｂ…スライド長孔
１５…嵌合突起                          １６ａ，１６ｂ…リンクアーム
１７ａ，１７ｂ…第１リンク              １８ａ，１８ｂ…第２リンク
１９ａ，１９ｂ…第１軸部                ２０…第２軸部
２１…支持部                            ２２，２３……スライドフック
２４，２５…フック部                    ２６，２７…フックベース部
２８，２９、３０，３１…スライド規制孔  ３２，３３……係止片
４１…スライドレバー機構                ４２…スライドベース
４３，４４，４５…ガイド突起            ４６…スライドレバー
４７…軸筒部                            ４８…スライド開口部
５１…レバーロック機構                  ５２…開口部
５３……キーシリンダ部                  ５４…キー孔
５５…キーロック部                      ５６…ストッパ片
５７…アーム                            ５８…係止片
６１…ストッパ機構                      ６２…フックアーム部
６３ａ，６３ｂ…係止爪部
【図１】
0003183127.tif 000003
【図２】
0003183127.tif 000004
【図３】
0003183127.tif 000005
【図４】
0003183127.tif 000006
【図５】
0003183127.tif 000007
【図６】
0003183127.tif 000008